(57)【要約】【課題】めがねを平面上にじかにおいて陳列できることは無論のこと、大掛かりな改装工事を要せずめがねを大量に陳列する上で有利なめがねハンガーを提供すること。【解決手段】めがねＧのモダンＭを、めがねハンガー１０の表面１０Ａから裏面１０Ｂに向けて第２片体１４の挟持片３２，３４，３６の間に挿通させる。つぎに、モダンMを、裏面１０Ｂから表面１０Ａに向けて第３片体１６の挟持片４４の間に挿通させる。つぎに、モダンMを、表面１０Ａから裏面１０Ｂに向けて第４片体１８の挟持片４８の間に挿通させる。そして、めがねハンガー１０をテンプルＴ上でフロントＦ方向にずらしていき、フロントＦの左右方向の端部の端面Ｆ−１と、テンプルＴの前端の端面Ｔ―１との間に第２片体１４の第２、第３挟持片３４、３６の先部を挟み、ヒンジＨの枢軸部分Ｈ―１を開口３８を通して裏面１０Ｂから表面１０Ａ側に位置させる。【選択図】図５
2008116793.tif 000002
【特許請求の範囲】
【請求項１】
合成樹脂により一体に形成された第１片体と第２片体と第３片体とがそれらの順に同一面上で直線状に並べられ、
前記第１片体に、フックへの係止を可能とした係止部が形成され、
前記第２片体と前記第３片体との境の部分は前記第２片体および前記第３片体よりも弾性変形しやすく形成され、
前記第２、第３片体は、それぞれ外周部と、前記外周部の周方向に異なった箇所から前記外周部の内側に向かって延在する弾性変形可能な複数の挟持片を有し、
前記第２、第３片体の複数の挟持片は、それら挟持片の間にめがねのテンプルの挿通を可能とし、かつ、前記テンプルが挿通された状態で前記挿通されたテンプルの部分を挟持するように形成されている、
ことを特徴とするめがねハンガー。
【請求項２】
合成樹脂により一体に形成された第１片体と第２片体と第３片体とがそれらの順に同一面上で直線状に並べられ、
前記第１片体に、フックへの係止を可能とした係止部が形成され、
前記第２片体と前記第３片体との境の部分は前記第２片体および前記第３片体よりも弾性変形しやすく形成され、
前記第２片体は、外周部と、前記外周部の内側に形成された開口とを有し、
前記第３片体は、外周部と、前記外周部の周方向に異なった箇所から前記外周部の内側に向かって延在し前記外周部に対して弾性変形可能な複数の挟持片を有し、
前記第３片体の複数の挟持片は、それら挟持片の間にめがねのテンプルの挿通を可能とし、前記テンプルが挿通された状態で前記挿通されたテンプルの部分を挟持するように形成されている、
ことを特徴とするめがねハンガー。
【請求項３】
前記第２片体と前記第３片体とが並べられた方向における長さは、前記挟持片の間に挿通された前記テンプルの部分を挟持した状態で、前記第２片体の前記第１片体寄りの箇所がめがねのフロントの外側でテンプルの延長上に位置し、前記第２片体と反対に位置する前記第３片体の箇所がテンプル上でフロント寄りの箇所に位置する寸法で形成されている、
ことを特徴とする請求項１または２記載のめがねハンガー。
【請求項４】
前記第１片体と前記第２片体と前記第３片体は、それぞれそれらが並べられた方向の長さと、この長さと直交する幅を有し、
前記第１片体の幅は、前記第２片体と前記第３片体の幅よりも大きい寸法で形成され、
前記第１片体と前記第２片体と前記第３片体はそれらの幅方向の中央部を合わせて連結されている、
ことを特徴とする請求項１または２記載のめがねハンガー。
【請求項５】
前記第２、第３片体の幅は、前記挟持片の間に挿通された前記テンプルの部分を挟持した状態で、めがねのレンズの上下方向の高さよりも小さな寸法で形成されている、
ことを特徴とする請求項１または２記載のめがねハンガー。
【請求項６】
前記挟持片の間に挿通された前記テンプルの部分を挟持した状態で、前記第１片体の幅方向の下端は、めがねのレンズの下端と同じ高さかあるいは上方に位置している、
ことを特徴とする請求項１または２記載のめがねハンガー。
【請求項７】
前記第２片体と前記第３片体との間に、前記第２、第３片体の外周部の厚さよりも小さい寸法の厚さで形成された第１連結片が介在しており、
前記第２片体と前記第３片体との境の部分は、前記第１連結片により前記第２片体および前記第３片体よりも弾性変形しやすく形成されている、
ことを特徴とする請求項１または２記載のめがねハンガー。
【請求項８】
前記第２片体と反対に位置する前記第３片体の箇所に第４片体が、それら第１、第２、第３片体と一体に同一面上で直線状に並べられて設けられ、
前記第３片体と前記第４片体との境の部分は、前記第３片体および前記第４片体よりも弾性変形しやすく形成され、
前記第４片体は、それぞれ外周部と、前記外周部の周方向に異なった箇所から前記外周部の中央に向かって延在する複数の挟持片を有し、
前記第４片体の複数の挟持片は、それらの複数の挟持片の間にめがねのテンプルの挿通を可能とし、前記テンプルが挿通された状態で前記挿通されたテンプルの部分を挟持するように形成されている、
ことを特徴とする請求項１または２記載のめがねハンガー。
【請求項９】
前記第３片体と前記第４片体との間に、前記第３、第４片体の外周部の厚さよりも小さい寸法の厚さで形成された第２連結片が介在しており、
前記第３片体と前記第４片体との境の部分は、前記第２連結片により前記第３片体および前記第４片体よりも弾性変形しやすく形成されている、
ことを特徴とする請求項８記載のめがねハンガー。
【請求項１０】
前記第２片体と前記第３片体と前記第４片体とが並べられた方向における長さは、前記挟持片の間に挿通された前記テンプルの部分を挟持した状態で、前記第２片体の前記第１片体寄りの箇所がめがねのフロントの外側でテンプルの延長上に位置し、前記第３片体と反対に位置する前記第４片体の箇所がテンプル上でフロントとモダンとの間の中間の箇所に位置する寸法で形成されている、
ことを特徴とする請求項８記載のめがねハンガー。
【請求項１１】
前記第２、第３片体の前記外周部は、４辺を備えた矩形枠状を呈し、
前記第２片体は、第１挟持片と、第２挟持片と、第３挟持片とを有し、
前記第１挟持片は、前記第１片体に連結された辺から突設され、
前記第２挟持片は、前記第３片体に連結された辺の長手方向の半部と、この半部に連なる辺の双方から突設され、
前記第３挟持片は、前記第３片体に連結された辺の長手方向の残りの半部と、この残りの半部に連なる辺の双方から突設され、
前記第２挟持片と前記第３挟持片の間の箇所に、フロントとテンプルとを連結するヒンジの枢軸部分を挿通しやすくするための開口が形成され、
前記第１、第２、第３挟持片は、それら第１、第２、第３挟持片の間へのテンプルの挿通を可能とし、前記テンプルが挿通された状態で前記第２、第３挟持片の先部が、めがねのフロントの左右方向の端部で後方を向いた端面と、テンプルの前端で前方を向いた端面との間に挟まれた状態で前記挿通されたテンプルの部分を挟持するように形成されている、
ことを特徴とする請求項１記載のめがねハンガー。
【請求項１２】
前記第２片体と前記第３片体との間に、前記第２、第３片体の外周部の厚さよりも小さい寸法の厚さで形成された第１連結片が介在しており、
前記第２片体と前記第３片体との境の部分は、前記第１連結片により前記第２片体および前記第３片体よりも弾性変形しやすく形成され、
前記第１連結片に結束バンドを挿通させる挿通孔が前記第１乃至第３片体が並べられた方向に対して直交する方向に間隔をおいて２つ設けられている、
ことを特徴とする請求項２記載のめがねハンガー。
【請求項１３】
前記第２片体と反対に位置する前記第３片体の箇所に第４片体が、それら第１、第２、第３片体と一体に同一面上で直線状に並べられて設けられ、
前記第４片体は、それぞれ外周部と、前記外周部の周方向に異なった箇所から前記外周部の中央に向かって延在する複数の挟持片を有し、
前記第４片体の複数の挟持片は、それらの複数の挟持片の間にめがねのテンプルの挿通を可能とし、前記テンプルが挿通された状態で前記挿通されたテンプルの部分を挟持するように形成され、
前記第３片体と前記第４片体との間に、前記第２、第３片体の外周部の厚さよりも小さい寸法の厚さで形成された第２連結片が介在しており、
前記第３片体と前記第４片体との境の部分は、前記第２連結片により前記第３片体および前記第４片体よりも弾性変形しやすく形成され、
前記第２連結片に結束バンドを挿通させる挿通孔が前記第１乃至第４片体が並べられた方向に対して直交する方向に間隔をおいて２つ設けられている、
ことを特徴とする請求項１２記載のめがねハンガー。
【発明の詳細な説明】
【技術分野】
【０００１】
本発明はめがねに装着されるめがねハンガーに関する。
【背景技術】
【０００２】
従来、店頭でのめがねの陳列は、ショーケースの棚上に、あるいは、ショーケースの天板上にじかに置かれている場合が多い。
また、垂直な壁面に孔を開け、この穴にモダン部分を挿入してめがねを陳列する形態も提案されている（特許文献１）。
【特許文献１】特開平９−１０３３４４
【発明の開示】
【発明が解決しようとする課題】
【０００３】
しかしながら、めがねをショーケースの棚や天板上にじかに置いて陳列する場合には多数のめがねを並べることができず、めがねの在庫の保管場所を、陳列箇所とは別の箇所に確保する必要がある。
また、垂直な壁面に孔を開けてめがねを陳列する方式では、店内において壁面に多数の孔を開けるための大掛かりな改装工事が必要となる。
本発明は前記事情に鑑み案出されたものであって、本発明の目的は、平面上にじかにおいて陳列できることは無論のこと、大掛かりな改装工事を要せずめがねを大量に陳列する上で有利なめがねハンガーを提供することにある。
【課題を解決するための手段】
【０００４】
前記目的を達成するため本発明のめがねハンガーは、合成樹脂により一体に形成された第１片体と第２片体と第３片体とがそれらの順に同一面上で直線状に並べられ、前記第１片体に、フックへの係止を可能とした係止部が形成され、前記第２片体と前記第３片体との境の部分は前記第２片体および前記第３片体よりも弾性変形しやすく形成され、前記第２、第３片体は、それぞれ外周部と、前記外周部の周方向に異なった箇所から前記外周部の内側に向かって延在する弾性変形可能な複数の挟持片を有し、前記第２、第３片体の複数の挟持片は、それら挟持片の間にめがねのテンプルの挿通を可能とし、かつ、前記テンプルが挿通された状態で前記挿通されたテンプルの部分を挟持するように形成されていることを特徴とする。
また、本発明のめがねハンガーは、合成樹脂により一体に形成された第１片体と第２片体と第３片体とがそれらの順に同一面上で直線状に並べられ、前記第１片体に、フックへの係止を可能とした係止部が形成され、前記第２片体と前記第３片体との境の部分は前記第２片体および前記第３片体よりも弾性変形しやすく形成され、前記第２片体は、外周部と、前記外周部の内側に形成された開口とを有し、前記第３片体は、外周部と、前記外周部の周方向に異なった箇所から前記外周部の内側に向かって延在し前記外周部に対して弾性変形可能な複数の挟持片を有し、前記第３片体の複数の挟持片は、それら挟持片の間にめがねのテンプルの挿通を可能とし、前記テンプルが挿通された状態で前記挿通されたテンプルの部分を挟持するように形成されていることを特徴とする。
【発明の効果】
【０００５】
本発明のめがねハンガーをめがねに装着すると、係止部にフックを係止させることでめがねを吊り下げた状態で陳列できる。したがって、大掛かりな改装工事を要せず大量のめがねを狭いスペース内で陳列でき、めがねの在庫の保管場所を、陳列箇所とは別の箇所に確保する必要もなくなり、コストダウンを図る上で極めて有利となる。
また、めがねハンガーがめがねに装着された状態で、めがねハンガーは、目じりの外側に離れたテンプルの箇所に位置するため、めがねハンガーが装着されためがねをそのまま掛けてもめがねハンガーの部分が顔に当たることはない。したがって、めがねハンガーが装着された状態のめがねをそのまま試着でき、需要者の購買意欲を高め、めがねの販売力を高める上で極めて有利となる。
また、めがねハンガーがめがねに装着された状態で、従来と同様に、めがねをショーケースの棚や天板上にじかに置いて陳列することも可能である。
【発明を実施するための最良の形態】
【０００６】
以下、本発明の実施の形態を図面にしたがって説明する。
（第１の実施の形態）
図１はめがねハンガーの説明図で（Ａ）は平面図、（Ｂ）は正面図、（Ｃ）は（Ａ）のＣＣ断面図、（Ｄ）は底面図を示す。
また、図２はめがねハンガーがめがねに装着された状態の斜視図、図３はめがねハンガーがめがねに装着された状態の側面図、図４はめがねハンガーがめがねに装着された状態の平面図、図５はめがねハンガーが装着された状態のめがねの斜視図、図６はめがねハンガーが装着されためがねがフックに吊り下げられた状態の斜視図、図７はめがねハンガーが装着されためがねが人の顔に掛けられた状態（人の顔に装着された状態）の平面図を示す。
【０００７】
（めがねハンガー１０）
めがねハンガー１０は、第１片体１２と、第２片体１４と、第３片体１６と、第４片体１８とを含んで構成され、それら片体１２、１４、１６、１８は合成樹脂により一体に形成され、それらの片体１２、１４、１６、１８がそれらの順に同一面上で直線状に並べられて設けられている。
また、第２片体１４と第３片体１６との間に第１連結片２２が設けられ、第３片体１６と第４片体１８との間に第２連結片２４が設けられている。
【０００８】
（第１乃至第４片体の形状）
第１片体１２と第２片体１４と第３片体１６と第４片体１８は、それぞれそれらが並べられた方向の長さと、この長さと直交する幅を有している。
第１片体１２の幅は、第２乃至第４片体１４、１６、１８の幅よりも大きい寸法で形成され、第１片体乃至第４片体１２、１４、１６、１８はそれらの幅方向の中央部を合わせて連結されている。
本実施の形態では、第１片体１２は、横よりも大きい寸法の縦を有する長方形に形成されている。また、第１連結片２２および第２連結片２４を含む第２乃至第４片体１４、１６、１８の全体の形状は、第１片体１２に接続された第２片体１４の辺を底辺とし第４片体１８の端部の辺を上辺とした場合に斜辺が互いに近づく方向に傾斜した台形状に形成されている。
【０００９】
（第１乃至第４片体の幅）
また、第２、３、４片体１４、１６、１８の幅は、めがねハンガー１０が装着されるめがねＧのレンズＬの上下方向の高さよりも小さな寸法で形成されている。
また、後述するようにめがねハンガー１０がめがねＧに装着された状態で、第１片体１２の幅方向の下端は、レンズＬの下端と同じ高さかあるいは上方に位置しあるいは僅かに下方に位置している。
【００１０】
（第１片体１２）
第１片体１２は薄い均一の厚さを有する矩形板状に形成され、第１片体１２には、フックＨへの係止を可能とした係止部が形成されている。本実施の形態では、係止部は、フックＨの挿通を可能とした挿通孔２６として形成されている。なお、係止部の構造は、挿通孔２６のような孔に限定されず、例えば、釣り針状に湾曲形成したものであってもよい。
挿通孔２６は、第１片体１２の縦辺に平行して延在する長方形の部分と、この部分の長手方向中央から第１片体１２の横辺に平行する方向に突出する半円形の部分とで構成されている。
第１片体１２の幅、長さは、上述のように第２乃至第４片体１４、１６、１８の幅、長さよりも大きな寸法で形成されている。
第１片体１２には、例えば、めがねハンガー１０が装着されるめがねＧのメーカーや商品名などが記載されたシールが貼られる。
【００１１】
（第２片体１４）
図１に示すように第２片体１４は、４辺を有する矩形枠状１６の外周部３０と、外周部３０よりも小さい寸法の厚さで形成された第１、第２、第３の３つの挟持片３２、３４、３６を有し、第１、第２、第３挟持片３２、３４、３６はそれぞれ弾性変形可能である。なお、めがねハンガー１０は合成樹脂製であるため、第１乃至第４片体１２、１４、１６、１８は連結片２２、２４を含んでそれぞれ弾性変形可能であるが、第２、３、４片体１４、１６、１８は、外周部とこの外周部よりも厚さの小さい挟持片とで構成されるため、第２、第３、第４片体１４、１６、１８は第１片体１２よりも弾性変形し易く、また、挟持片は連結片２２、２４と同様にその外周部よりも弾性変形しやすい。
また、図１（Ｂ）、（Ｃ）に示すように、第１乃至第４片体１２、１４、１６、１８の厚さ方向の一方の面は、外周部とその内側の挟持片とで厚さが異なることから凹凸となっており、他方の面は同一面上を延在しており、説明の便宜上、凹凸のある面を表面１０Ａとし、他方の面を裏面１０Ｂとする。
本実施の形態では、第２片体１４の外周部３０を構成する４辺のうちの１辺は、第１片体１２の縦辺により構成されている。
第１挟持片３２は、第１片体１４の縦辺により構成された外周部３０の１辺から、外周部３０の内側に向けて三角形状に突設されている。
第２挟持片３４は、第３片体１６に連結された辺の長手方向の半部と、この半部に連なる辺の双方から突設されている。
第３挟持片３６は、第３片体１６に連結された辺の長手方向の残りの半部と、この残りの半部に連なる辺の双方から突設されている。
そして、第２挟持片３４と第３挟持片３６の間の箇所に、図２に示すように、フロントＦとテンプルＴとを連結するヒンジＨの枢軸部分Ｈ―１を挿通しやくするための開口３８が形成されている。
第１、第２、第３挟持片３２、３４、３６は、それら第１、第２、第３挟持片３２、３４、３６の間へのテンプルＴの挿通が可能に形成されている。
また、第１、第２、第３挟持片３２、３４、３６の間にテンプルＴが挿通され、図３乃至図５に示すように、フロントＦの左右両端で後方を向いた端面Ｆ−１（図４参照）と、テンプルＴの前端で前方を向いた端面Ｔ―１（図４参照）との間に第２、第３挟持片３４、３６の先部が挟まれた状態で、挿通されたテンプルＴの部分を挟持するように形成されている。
【００１２】
（第１連結片２２）
第１連結片２２は、第２片体１４の外周部３０の厚さよりも小さい寸法の厚さで形成され、従って、第１連結片２２は第２片体１４よりも弾性変形しやすく、第２片体１４と第３片体１６とは第１連結片２２を介して屈曲可能に連結されているということができる。
【００１３】
（第３片体１６）
図１に示すように第３片体１６は、４辺を有する矩形枠状の外周部４２と、外周部４２の各４辺からそれぞれ外周部４２の厚さよりも小さい寸法の厚さで三角形状に突設された４つの挟持片４４とを有している。
それら挟持片４４は弾性変形可能であり、それら挟持片４４は、それらの間へのテンプルＴの挿通が可能に形成され、また、挿通されたテンプルＴの部分を挟持するように形成されている。
【００１４】
（第２連結片２４）
第２連結片２４は、第３片体１６の外周部４２の厚さよりも小さい寸法の厚さで形成され、従って、第２連結片２４は第３片体１６よりも弾性変形しやすく、第３片体１６と第４片体１８とは第２連結片２４を介して屈曲可能に連結されているということができる。
【００１５】
（第４片体１８）
図１に示すように第４片体１８は、４辺を有する矩形枠状の外周部４６と、外周部４６の各４辺からそれぞれ外周部４６の厚さよりも小さい寸法の厚さで三角形状に突設された４つの挟持片４８とを有している。
それら挟持片４８は弾性変形可能であり、それら挟持片４８は、それらの間へのテンプルＴの挿通が可能に形成され、また、挿通されたテンプルＴの部分を挟持するように形成されている。
【００１６】
（めがねハンガー１０のめがねＧへの装着の態様）
めがねハンガー１０はめがねＧに次のように装着される。
図４、図５に示すように、めがねＧの２つのモダンＭのうちの一方のモダンＭを、めがねハンガー１０の表面１０Ａから裏面１０Ｂに向けて第２片体１４の挟持片３２，３４，３６の間に挿通させる。
つぎに、モダンMを、めがねハンガー１０の裏面１０Ｂから表面１０Ａに向けて第３片体１６の挟持片４４の間に挿通させる。
つぎに、モダンMを、めがねハンガー１０の表面１０Ａから裏面１０Ｂに向けて第４片体１８の挟持片４８の間に挿通させる。
そして、めがねハンガー１０をテンプルＴ上でフロントＦ方向にずらしていき、フロントＦの左右両端で後方を向いた端面Ｆ−１（図４参照）と、テンプルＴの前端で前方を向いた端面Ｔ―１（図４参照）との間に第２片体１４の第２、第３挟持片３４、３６の先部を挟み、ヒンジＨの枢軸部分Ｈ―１を開口３８を通してめがねハンガー１０の裏面１０Ｂから表面１０Ａ側に位置させる。
【００１７】
（装着時におけるめがねハンガー１０の各部の位置）
この状態を図２乃至図７に示す。
従って、この装着状態で、第１連結部２２と第４片体１８の先端がテンプルＴの内側
に位置し、第２連結部２４がテンプルＴの外側に位置する。
また、第２片体１４の第１片体１２寄りの箇所がフロントＦの外側でテンプルＴの延長上に位置する。
また、第１片体１２が、テンプルＴの延長線の外側で前方に向かって突出した位置となる。
【００１８】
（装着時における第２乃至第４片体の長さ）
第２片体１４と第３片体１６と第４片体１８が並べられた方向における長さは、上述のように各挟持片の間に挿通されたテンプルＴの部分を挟持した状態で、第２片体１４と反対に位置する第３片体１６の箇所がテンプルＴ上でフロントＦ寄りの箇所に位置する寸法で形成されている。
また、第３片体１６と反対に位置する第４片体１８の箇所（第４片体１８の先端）がテンプルＴ上でフロントＦとモダンＭとの間の中間の箇所に位置する寸法で形成されている。
【００１９】
（めがねハンガー１０の効果）
本実施の形態によれば、めがねハンガー１０は上記のように構成されているため、上記のようにめがねＧに装着できる。
そして、めがねハンガー１０をめがねＧに装着すると、図６に示すように、挿通孔２６にフックＨを挿通させることでフックＨに係止でき、めがねＧをフックＨに吊り下げた状態で陳列できる。すなわち、フックＨを複数用意することで、狭いスペース内において大量のめがねＧを陳列することが可能となる。
また、旋回可能な支軸の上下に異なる複数箇所からそれぞれ放射方向に向けて複数のフックが突設された陳列具などは、種々の形状、大きさのものが市販されており、それら市販品を用いて大量のめがねＧを陳列することが可能となる。
したがって、大掛かりな改装工事を要せず大量のめがねＧを狭いスペース内で陳列でき、めがねＧの在庫の保管場所を、陳列箇所とは別の箇所に確保する必要もなくなり、コストダウンを図る上で極めて有利となる。
また、めがねハンガー１０がめがねＧに装着された状態で、テンプルＴの内側に位置する第１連結部２２と第４片体１８の先端は、図７に示すように、目じりの外側に離れたテンプルＴの箇所に位置するため、めがねハンガー１０が装着されためがねＧをそのまま掛けても第１連結部２２や第４片体１８の先端が顔に当たることはない。したがって、めがねハンガー１０が装着された状態のめがねＧをフックＨから外して簡単に試着でき、需要者の購買意欲を高め、めがねＧの販売力を高める上で極めて有利となる。
また、本実施の形態では、めがねハンガー１０がめがねＧに装着された状態で、第１片体１２の幅方向の下端が、レンズＬの下端と同じような高さに位置する寸法で形成されているので、従来と同様に、めがねＧをショーケースの棚や天板上にじかに置いて陳列することも可能となる。
また、めがねハンガー１０は、３つの片体１４、１６、１８の各挟持片がテンプルＴを挟持した状態でめがねＧに装着されているので、めがねハンガー１０はめがねＧから取り外しにくく、したがって、めがねＧの盗難防止上も有利である。
この場合、図２、図４に示すように、第１連結片２２および第２連結片２４が弾性変形しており、また、僅かではあるが第２乃至第４片体１４、１６、１８も弾性変形しているので、それら第１、第２連結片２２、２４および第２乃至第４片体１４、１６、１８が元の形状に戻ろうとする弾性力によってもテンプルＴが挟持されるため、めがねハンガー１０はめがねＧから取り外しにくく、したがって、めがねＧの盗難防止上も有利である。
特に、本実施の形態では、フロントＦの左右両端で後方を向いた端面Ｆ−１（図４参照）と、テンプルＴの前端で前方を向いた端面Ｔ―１（図４参照）との間に第２片体１４の第２、第３挟持片３４、３６の先部が挟まれるので、めがねハンガー１０はめがねＧからより取り外しにくく、めがねＧの盗難防止上より一層有利である。
【００２０】
（めがねハンガー１０の別の態様）
なお、第２片体１４に設ける挟持片を、第３、第４片体１６、１８の挟持片４４、４８と同様な形状としてもよいが、実施の形態のように構成すると、フロントＦの左右両端で後方を向いた端面Ｆ−１（図４参照）と、テンプルＴの前端で前方を向いた端面Ｔ―１（図４参照）との間に第２、第３挟持片３４、３６の先部が挟まれるので、めがねハンガー１０はめがねＧからより取り外しにくくなり、めがねＧの盗難防止上より一層有利となる効果が奏される。
【００２１】
（第２の実施の形態）
図８はめがねハンガーの説明図で（Ａ）は平面図、（Ｂ）は正面図、（Ｃ）は（Ａ）のＣＣ断面図、（Ｄ）は底面図、（Ｅ）は（Ａ）のＥ矢視図を示す。
また、図９はめがねハンガーがめがねに装着された状態の斜視図、図１０はめがねハンガーがめがねに装着された状態の側面図、図１１はめがねハンガーがめがねに装着された状態の平面図、図１２はめがねハンガーが装着された状態のめがねの斜視図、図１３はめがねハンガーが装着されためがねがフックに吊り下げられた状態の斜視図、図１４はめがねハンガーが装着されためがねが人の顔に掛けられた状態（人の顔に装着された状態）の平面図を示す。
なお、説明を簡明にするため、第１の実施の形態と同様な箇所、部材には同一の符号を付しその説明を省略する。
【００２２】
（めがねハンガー５０）
第２の実施の形態に係るめがねハンガー５０は、第１の実施の形態と同様に、第１片体１２と、第２片体１４と、第３片体１６と、第４片体１８とを含んで構成され、それら片体１２、１４、１６、１８は合成樹脂により一体に形成され、それらの片体１２、１４、１６、１８がそれらの順に同一面上で直線状に並べられて設けられている。
また、第２片体１４と第３片体１６との間に第１連結片２２が設けられ、第３片体１６と第４片体１８との間に第２連結片２４が設けられている。
【００２３】
（第１乃至第４片体の形状）
第１片体１２と第２片体１４と第３片体１６と第４片体１８は、それぞれそれらが並べられた方向の長さと、この長さと直交する幅を有している。
第１片体１２の幅は、第２乃至第４片体１４、１６、１８の幅よりも大きい寸法で形成され、第２乃至第４片体１４、１６、１８の幅は等しい寸法で形成され、第１乃至第４片体１２、１４、１６、１８はそれらの幅方向の中央部を合わせて連結されている。
【００２４】
（第１乃至第４片体の幅）
また、第２、３、４片体１４、１６、１８の幅は、めがねハンガー５０が装着されるめがねＧのレンズＬの上下方向の高さよりも小さな寸法で形成されている。
また、後述するようにめがねハンガー５０がめがねＧに装着された状態で、第１片体１２の幅方向の下端は、レンズＬの下端と同じ高さかあるいは上方に位置しあるいは僅かに下方に位置している。
【００２５】
（第１片体１２）
第１片体１２の構成は、第１の実施の形態と同様であり、第１片体１２には、フックＨの挿通を可能とした挿通孔２６が係止部として形成され、第１片体１２には、例えば、めがねハンガー５０が装着されるめがねＧのメーカーや商品名などが記載されたシールが貼られる。
【００２６】
（第２片体１４）
図８に示すように第２片体１４は、４辺を有する矩形枠状１６の外周部３０と、外周部３０の内側に形成された矩形状の開口５２とを有し、開口５２は、モダンＭやテンプルＴの挿通が可能である。
第２片体１４の外周部３０を構成する４辺のうちの１辺は、第１片体１４の縦辺により構成されている。
【００２７】
（第１連結片２２）
第１連結片２２は、第２片体１４の外周部３０の厚さよりも小さい寸法の厚さで形成され、従って、第１連結片２２は第２片体１４よりも弾性変形しやすく、第２片体１４と第３片体１６とは第１連結片２２を介して屈曲可能に連結されているということができる。
第１連結片２２には、結束バンド６０を挿通させるための挿通孔５４が第１乃至第４片体１２、１４、１６、１８が並べられた方向に対して直交する方向に間隔をおいて２つ設けられている。
【００２８】
（第３片体１６）
図８に示すように第３片体１６は、４辺を有する矩形枠状の外周部４２と、外周部４２の各４辺からそれぞれ外周部４２の厚さよりも小さい寸法の厚さで三角形状に突設された４つの挟持片４４とを有している。
それら挟持片４４は弾性変形可能であり、それら挟持片４４は、それらの間へのテンプルＴの挿通が可能に形成され、また、挿通されたテンプルＴの部分を挟持するように形成されている。
なお、めがねハンガー５０は合成樹脂製であるため、第１乃至第４片体１２、１４、１６、１８は連結片２２、２４を含んでそれぞれ弾性変形可能であるが、第２、第３、第４片体１４、１６、１８は、外周部とこの外周部よりも厚さの小さい挟持片とで構成されるため、第２、第３、第４片体１４、１６、１８は第１片体１２よりも弾性変形し易く、また、挟持片は連結片２２、２４と同様にその外周部よりも弾性変形しやすい。
また、図８（Ｂ）、（Ｃ）に示すように、第１乃至第４片体１２、１４、１６、１８の厚さ方向の一方の面は、外周部とその内側の挟持片との厚さが異なることから凹凸となっており、他方の面は同一面上を延在しており、説明の便宜上、凹凸のある面を表面５０Ａとし、他方の面を裏面５０Ｂとする。
【００２９】
（第２連結片２４）
第２連結片２４は、第３片体１６の外周部４２の厚さよりも小さい寸法の厚さで形成され、従って、第２連結片２４は第３片体１６よりも弾性変形しやすく、第３片体１６と第４片体１８とは第２連結片２４を介して屈曲可能に連結されているということができる。
第２連結片２４には、結束バンド６０を挿通させるための挿通孔５４が第１乃至第４片体１２、１４、１６、１８が並べられた方向に対して直交する方向に間隔をおいて２つ設けられている。
【００３０】
（第４片体１８）
図８に示すように第４片体１８は、４辺を有する矩形枠状の外周部４６と、外周部４６の各４辺からそれぞれ外周部４６の厚さよりも小さい寸法の厚さで三角形状に突設された４つの挟持片４８とを有している。
それら挟持片４８は弾性変形可能であり、それら挟持片４８は、それらの間へのテンプルＴの挿通が可能に形成され、また、挿通されたテンプルＴの部分を挟持するように形成されている。
【００３１】
（めがねハンガー５０のめがねＧへの装着の態様）
めがねハンガー５０はめがねＧに次のように装着される。
図１１、図１２に示すように、めがねＧの２つのモダンＭのうちの一方のモダンＭを、めがねハンガー５０の表面５０Ａから裏面５０Ｂに向けて第２片体１４の開口５２に挿通させる。
つぎに、モダンMを、めがねハンガー５０の裏面５０Ｂから表面５０Ａに向けて第３片体１６の挟持片４４の間に挿通させる。
つぎに、モダンMを、めがねハンガー５０の表面５０Ａから裏面５０Ｂに向けて第４片体１８の挟持片４８の間に挿通させる。
そして、めがねハンガー５０をテンプルＴ上でフロントＦ方向にずらしていき、フロントＦの左右方向の端部の外側に、第２片体１４の第１片体１２寄りの箇所を位置させる。
【００３２】
（装着時におけるめがねハンガー５０の各部の位置）
この状態を図９乃至図１４に示す。
従って、この装着状態で、第１連結部２２と第４片体１８の先端がテンプルＴの内側
に位置し、第２連結部２４がテンプルＴの外側に位置する。
また、第２片体１４の第１片体１２寄りの箇所がフロントＦの外側でテンプルＴの延長上に位置する。
また、第１片体１２が、テンプルＴの延長線の外側で前方に向かって突出した位置となる。
【００３３】
（装着時における第２乃至第４片体の長さ）
第２片体１４と第３片体１６と第４片体１８が並べられた方向における長さは、上述のように各挟持片の間に挿通されたテンプルＴの部分を挟持した状態で、第２片体１４と反対に位置する第３片体１６の箇所がテンプルＴ上でフロントＦ寄りの箇所に位置する寸法で形成されている。
また、第３片体１６と反対に位置する第４片体１８の箇所（第４片体１８の先端）がテンプルＴ上でフロントＦとモダンＭとの間の中間の箇所に位置する寸法で形成されている。
【００３４】
（結束バンド）
さらに、本実施の形態では、第１、第２連結片２２、２４の挿通孔５４に予め結束バンド６０を挿通させておく。結束バンド６０は、ロック孔を有するロック部６００２と、ロック部６００２に連結されたバンド部６００４とを備え、ロック孔の内周面とバンド部６００４の双方に歯部が形成され、ロック部６００２にバンド部６００４を通すと、通したバンド部６００４の部分が逆に戻らないようになっている。
上述のようにめがねハンガー５０をめがねＧに装着したならば、それら結束バンド６０をテンプルＴに巻回して締め付け、余ったバンド部６００４を切り取る。
【００３５】
（めがねハンガー５０の効果）
本実施の形態によれば、めがねハンガー５０は上記のように構成されているため、上記のようにめがねＧに装着できる。
そして、めがねハンガー１０をめがねＧに装着すると、図１３に示すように、挿通孔２６にフックＨを挿通させることでめがねＧを吊り下げた状態で陳列でき、したがって、第１の実施の形態と同様に、大掛かりな改装工事を要せず大量のめがねＧを狭いスペース内で陳列でき、めがねＧの在庫の保管場所を、陳列箇所とは別の箇所に確保する必要もなくなり、コストダウンを図る上で極めて有利となる。
また、めがねハンガー５０がめがねＧに装着された状態で、テンプルＴの内側に位置する第１連結部２２と第４片体１８の先端は、図１４に示すように、目じりの外側に離れたテンプルＴの箇所に位置するため、めがねハンガー５０が装着されためがねＧをそのまま掛けても第１連結部２２や第４片体１８の先端が顔に当たることはない。したがって、第１の実施の形態と同様に、めがねハンガー５０が装着された状態のめがねＧをフックＨから外して簡単に試着でき、需要者の購買意欲を高め、めがねＧの販売力を高める上で極めて有利となる。
また、本実施の形態でも、めがねハンガー５０がめがねＧに装着された状態で、第１片体１２の幅方向の下端が、レンズＬの下端と同じような高さに位置する寸法で形成されているので、従来と同様に、めがねＧをショーケースの棚や天板上にじかに置いて陳列することも可能となる。
また、めがねハンガー５０は、２つの片体１６、１８の各挟持片がテンプルＴを挟持した状態でめがねＧに装着されているので、めがねハンガー５０はめがねＧから取り外しにくく、したがって、めがねＧの盗難防止上も有利である。
この場合、図９、図１１に示すように、第１連結片２２および第２連結片２４が弾性変形しており、また、僅かではあるが第２乃至第４片体１４、１６、１８も弾性変形しているので、それら第１、第２連結片２２、２４および第２乃至第４片体１４、１６、１８が元の形状に戻ろうとする弾性力によってもテンプルＴが挟持されるため、めがねハンガー１０はめがねＧから取り外しにくく、したがって、めがねＧの盗難防止上も有利である。
特に、本実施の形態では、第１、第２連結片２２、２４の部分において結束バンド６０がテンプルＴに巻回して締め付けられているので、めがねハンガー５０はめがねＧからより取り外しにくく、めがねＧの盗難防止上より一層有利である。なお、結束バンド６０は、第１、第２連結片２２、２４のうちの一方にのみ設けてもよいが、実施の形態のように、双方の連結片２２、２４に設けると、めがねハンガー５０はめがねＧからより取り外しにくくなり、めがねＧの盗難防止上より一層有利となる。
【００３６】
（めがねハンガー１０、５０の別の態様）
なお、第１、第２の実施の形態ではめがねハンガー１０、５０が、第１片体１２と、第２片体１４と、第３片体１６と、第４片体１８とを含んで構成されている場合について説明したが、第４片体１８は省略してもよい。すなわち、めがねハンガー１０、５０が装着されためがねＧを掛けた場合、図４に示すように、第１片体１２が顔に当たらないように第１片体１２をフロントＦの外側に位置させる必要があり、そのため、モダンＭ、テンプルＴは、第２片体１４の表面５０Ａから裏面５０Ｂに挿通され、第２片体１４の端部がテンプルＴの内側に位置する。この第２片体１４の端部が顔に当たらないように、第３片体１６により第２片体１４の端部をテンプルＴに近接させるようにしている。したがって、第３片体１６までは必要となり、第４片体１８は省略してもよいが、実施の形態のように第４片体１８まで設けると、めがねハンガー１０、５０はめがねＧからより取り外しにくくなり、めがねＧの盗難防止上より一層有利となる効果が奏される。
また、第１乃至第４片体１２、１４、１６、１８の形状は、円形、楕円形、三角形、多角形などであってもよく、矩形に限定されない。
また、第２乃至第４片体１４、１６、１８の各挟持片の形状、構造も種々考えられ、実施例の形状、構造に限定されない。
また、第２の実施の形態において、第２片体１４に、第３、第４片体１６、１８と同様な挟持片４４、４８を設けるようにしてもよく、また、結束バンド６０を省略するようにしてもよい。
【図面の簡単な説明】
【００３７】
【図１】第１の実施の形態に係るめがねハンガーの説明図で（Ａ）は平面図、（Ｂ）は正面図、（Ｃ）は（Ａ）のＣＣ断面図、（Ｄ）は底面図である。
【図２】めがねハンガーがめがねに装着された状態の斜視図である。
【図３】めがねハンガーがめがねに装着された状態の側面図である。
【図４】めがねハンガーがめがねに装着された状態の平面図である。
【図５】めがねハンガーが装着された状態のめがねの斜視図である。
【図６】めがねハンガーが装着されためがねがフックに吊り下げられた状態の斜視図である。
【図７】めがねハンガーが装着されためがねが人の顔に掛けられた状態（人の顔に装着された状態）の平面図である。
【図８】第２の実施の形態に係るめがねハンガーの説明図で（Ａ）は平面図、（Ｂ）は正面図、（Ｃ）は（Ａ）のＣＣ断面図、（Ｄ）は底面図、（Ｅ）は（Ａ）のＥ矢視図である。
【図９】めがねハンガーがめがねに装着された状態の斜視図である。
【図１０】めがねハンガーがめがねに装着された状態の側面図である。
【図１１】めがねハンガーがめがねに装着された状態の平面図である。
【図１２】めがねハンガーが装着された状態のめがねの斜視図である。
【図１３】めがねハンガーが装着されためがねがフックに吊り下げられた状態の斜視図である。
【図１４】めがねハンガーが装着されためがねが人の顔に掛けられた状態（人の顔に装着された状態）の平面図である。
【符号の説明】
【００３８】
１０、５０……めがねハンガー、１２……第１片体、１４……第２片体、１６……第３片体、１８……第４片体、２２……第１連結片、２４……第２連結片、３０、４２、４６……外周部、３２、３４、３６、４４、４８……挟持片。
【図１】
2008116793.tif 000003
【図２】
2008116793.tif 000004
【図３】
2008116793.tif 000005
【図４】
2008116793.tif 000006
【図５】
2008116793.tif 000007
【図６】
2008116793.tif 000008
【図７】
2008116793.tif 000009
【図８】
2008116793.tif 000010
【図９】
2008116793.tif 000011
【図１０】
2008116793.tif 000012
【図１１】
2008116793.tif 000013
【図１２】
2008116793.tif 000014
【図１３】
2008116793.tif 000015
【図１４】
2008116793.tif 000016